(57)【要約】      （修正有）【課題】３〜４人掛かっていた天井クロス張り付け作業の作業時間と作業コストを低減することができるクロス載置具とクロス刷毛具との組合せからなる天井クロス張り付け施工工具を提供する。【解決手段】作業員の肩に掛けるための２つの肩掛け具Ｓと天井貼り付け用クロスを載置するクロス載置台ＣＤからなるクロス載置具２０において、２つの肩掛け具Ｓとクロス載置台ＣＤは連結してなることを特徴とするクロス載置具２０と、天井に当該クロスＣを貼り付けるためのクロス刷毛具との組合せからなることを特徴とする。【選択図】図６
0003198264.tif 000002
【実用新案登録請求の範囲】
【請求項１】
作業員の肩に掛けるための２つの肩掛け具Ｓと天井貼り付け用クロスを載置するクロス載置台ＣＤからなるクロス載置具２０において、２つの肩掛け具Ｓとクロス載置台ＣＤは連結してなることを特徴とするクロス載置具２０と天井に当該クロスＣを貼り付けるためのクロス刷毛具１０との組合せからなることを特徴とする天井クロス張り付け施工工具。
【請求項２】
クロス載置具２０が、２つの肩掛け具Ｓとクロス載置台ＣＤが組立分解可能であることを特徴とする請求項１に記載された天井クロス張り付け施工工具。
【請求項３】
クロス刷毛具５０が、ジョイント切断定規Ｒと刷毛部Ｂとから構成されてなり、ジョイント切断定規Ｒと刷毛部Ｂの段差Δｈが、下式を満足するようにしてなることを特徴とする請求項１〜２の何れかに記載された天井クロス張り付け施工工具。
Δｈ＝ｈＢ−ｈＲ＞０……（１）式
ここに、ジョイント切断定規Ｒの高さをｈＲ（ｍｍ）、刷毛部の高さをｈＢ（ｍｍ）とする。
【考案の詳細な説明】
【技術分野】
【０００１】
本考案は、天井クロス張り付け施工工具に関する。
【背景技術】
【０００２】
天井貼り付け用クロスを建物の天井に貼り付ける作業工程中には、クロスを適当な幅と長さに裁断する作業工程とともに、天井貼り付け用クロスの裏面に糊を塗り付けて、その後に天井貼り付け用クロスを天井面に貼り付けていく作業工程があった。
ここで、天井面に天井貼り付け用クロスを貼り付ける場合には、壁面に貼り付ける場合とは違って、仮足場を組み、作業員は、仮足場の上に上がって、顔を上に向けたまま、当該クロスを貼りつけながら前へ進むという作業となるため、従来は、作業員が３から４人一組になって、天井貼り付け用クロスを建物の天井に貼り付ける作業を行っていた。
そして、壁面に貼り付ける作業は、従来は、天井面にクロスを手で押さえながら、裏面の糊部に溜まっている空気を追い出すようにして天井にクロスを貼りつけていたのであるが、手作業であるため貼りつけるクロスの幅ＣＢ０に限界があり、なんとかクロスの幅ＣＢを従来の幅ＣＢ０より大きくなるようにクロスを天井に貼り付けることが作業効率の観点から望まれていた。
また、天井貼り付け用クロスを建物の天井に貼り付ける作業行程中には、クロスを適当な幅と長さに裁断する作業工程が必須となっていたのであるが、裁断する際に物指部にカッターを当てがって裁断するのであるが、誤って指を切るという事故も発生していた。  
【考案の開示】
【０００３】
考案者は、上記のような状況に鑑み、鋭意工夫を試み本願考案を完成させた。
【先行技術文献】
【特許文献】
【０００４】
本願考案に係る天井クロス張り付け施工工具について、ＦＩ、キーワード検索を行ったところ、本件考案（天井クロス張り付け施工工具）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、３〜４人掛かっていた天井クロス張り付け作業を、１人で、かつ、簡便にできるようにする作業時間と作業コストを低減することができるクロス載置具とクロス刷毛具との組合せからなる天井クロス張り付け施工工具を提供することである。
○本考案が解決しようとする第２課題
本考案が解決しようとする第２課題は、クロス載置具を簡便に別の作業場所に運搬移動するために、クロス載置具が、２つの肩掛け具とクロス載置台が組立分解可能であるクロス載置具を構成要件の一つとする天井クロス張り付け施工工具を提供することである。
○本考案が解決しようとする第３課題
本考案が解決しようとする第３課題は、天井に貼り付け用クロスを裁断する場合に、ジョイント切断定規と刷毛部からなるクロス刷毛具のジョイント切断定規に、カッターを当てがって寸断していたが、例え誤ってジョイント切断定規をカッターが切断しても、刷毛部で留まって刷毛部を押さえている作業員の指を切断することのないジョイント切断定規を構成要件の一つとする天井クロス張り付け施工工具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○肩掛け具とは、作業員の肩に掛けるための器具である。両肩に掛けるべく左右に２つの肩掛け具がある。２つの肩掛け具は、部材により、接続されて一体になっていても良い（図１、図２を参照）
○天井貼り付け用クロスとは、天井に貼り付けるためのクロスをいう。本願明細書、実用新案登録の範囲、図面において、天井貼り付け用クロスを、単にクロスともいうことにする。
○クロス載置台とは、天井貼り付け用クロスを天井にクロスを貼り付ける作業において、クロスを載置しておく台をいう。
クロス載置台は、図２のように、直管、第一の分岐管、第二の分岐管、Ｕ字管から構成して、組立分解可能な構造としている。直管と第一の分岐管、直管と第二の分岐管、Ｕ字管と第一の分岐管、Ｕ字管と第二の分岐管は、ワンタッチで結合・分離可能となっている。
○クロス載置具とは、作業員の肩に掛けるための２つの肩掛け具Ｓと天井貼り付け用クロスを載置するクロス載置台ＣＤから構成されてなる。
クロス載置具は、図１、２のように、肩掛け具Ｓとクロス載置台ＣＤとは、組立分解可能な構造としている。クロス載置台ＣＤは、直管、第一の分岐管、第二の分岐管、Ｕ字管からワンタッチで、結合・分離可能となっている（図２を参照）。
○クロス刷毛具とは、糊部の空気を追い出して天井にクロスを貼りつけるための道具である。
そして、クロス刷毛具は、本願発明においては、ジョイント切断定規と刷毛部から構成されてなる。
○ジョイント切断定規とは、ジョイント切断定規の表面にものさしの目盛りを表示させてなり、刷毛部と一体接合されてなるクロス刷毛具を構成する。ジョイント切断定規はクロスのジョイントをスムーズにカットするものです。
ここに、ジョイントとは、クロスとクロスを繋ぐ部分をいう。ものさしとは、クロス貼り時に、クロスを真っ直ぐに貼るためのスミ付け、若しくは、幅を図るためのものである。そして、スミ付けとは、スミの付いた糸を弾いて印を付けることである。
○刷毛部とは、本願発明において、刷毛本体と毛から構成される。
○毛は、蓋や山羊、馬の毛等が用いられる。また、超高分子量ポリエチレン、プラスチック製等の毛も用いられる。
特に、超高分子量ポリエチレン、プラスチック製等の毛は、すべりが良く、クロス内部に糊を付けた時の余分な糊の山も平たくする役目もあると同時に、クロスの畳み皺を直す役目もある。
○天井クロス張り付け施工工具とは、本願発明においては、クロスを載置しておく台であるクロス載置具２０と天井に当該クロスＣを貼り付けるためのクロス刷毛具１０との組合せからなる天井クロスを張り付けるための施工工具である。
○ジョイント切断定規Ｒと刷毛部Ｂの段差Δｈ（ｍｍ）とは、（１）式を満足するように、刷毛部の高さｈＢ（ｍｍ）の方が、ジョイント切断定規の高さｈＲ（ｍｍ）より高くなるようにしてある段差をいう。
○Δｈ＝ｈＢ−ｈＲ＞０……（１）式において、（１）式とは、刷毛部の高さｈＢ（ｍｍ）の方が、ジョイント切断定規の高さｈＲ（ｍｍ）より高くなるようにすることを意味し、考案者は経験的に（１）式を満足すれば、ジョイント切断定規に当てがったカッターを誤ってジョイント切断定規まで切り込んだとしても刷毛部でカッターの刃が止まって刷毛部を抑えていた指を切断することがないことに初めて気が付いて本願考案に相当するに至った。
＜記号の説明＞
Δｈ：ジョイント切断定規Ｒと刷毛部Ｂの段差（ｍｍ）
ｈＲ：ジョイント切断定規Ｒの高さ（ｍｍ）
ｈＢ：刷毛部の高さ（ｍｍ）
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、作業員の肩に掛けるための２つの肩掛け具Ｓと天井貼り付け用クロスを載置するクロス載置台ＣＤからなるクロス載置具２０において、２つの肩掛け具Ｓとクロス載置台ＣＤは連結してなることを特徴とするクロス載置具２０と天井に当該クロスＣを貼り付けるためのクロス刷毛具１０との組合せからなることを特徴とする天井クロス張り付け施工工具である。
○第２の考案（請求項２に記載の考案）
上記の課題を解決するための第２の考案（請求項２に記載の考案）は、クロス載置具２０が、２つの肩掛け具Ｓとクロス載置台ＣＤが組立分解可能であることを特徴とする請求項１に記載された天井クロス張り付け施工工具である。
○第３の考案（請求項３に記載の考案）
上記の課題を解決するための第３の考案（請求項３に記載の考案）は、クロス刷毛具５０が、ジョイント切断定規Ｒと刷毛部Ｂとから構成されてなり、ジョイント切断定規Ｒと刷毛部Ｂの段差Δｈが、下式を満足するようにしてなることを特徴とする請求項１〜２の何れかに記載された天井クロス張り付け施工工具である。
Δｈ＝ｈＢ−ｈＲ＞０……（１）式
ここに、ジョイント切断定規Ｒの高さをｈＲ（ｍｍ）、刷毛部の高さをｈＢ（ｍｍ）とする。
＜天井クロス張り付け施工工具を使った天井クロス張り付け作業のステップ＞
天井クロス張り付け施工工具を使った天井クロス張り付け作業について、以下の通り、ステップ毎に説明をする（図４を参照）。
（Ｓ１）ステップ１（足場仮設工程）
天井クロス張り付け作業の第１ステップとして、当該作業ができる高さの足場（仮足場）を仮設する。
（Ｓ２）ステップ２（クロスＣの載置工程）
クロスＣ裏面に糊付けをした後、クロスＣを折り畳んで、クロス載置台ＣＤに載置して、一段上のクロスＣを上に持ち上げれば順次引き出せるようにする。
（Ｓ３）ステップ３（クロス載置台ＣＤを装着して足場に上がる工程）
作業員は、折り畳んだクロスＣ載置したクロス載置台ＣＤを両肩に掛け、仮設足場に上がる。
（Ｓ４）ステップ４（クロスＣを引出し天井面に合わせる工程）
作業員は、一番上のクロスＣを上に持ち上げればクロスＣを順次引き出し、天井に糊付けした裏面を天井面に合わせる。
（Ｓ５）ステップ５（クロスＣを天井面に張り付着ける工程）
刷毛部１０の両端を親指と他の指で挟んで、クロスＣをクロス刷毛部Ｂで押さえて、糊に含まれる空気を追い出して、クロスＣを天井面に張り付着ける。
（Ｓ６）ステップ６（クロスＣを引出し天井面に合わせる工程）
上記ステップ５が終了したら、クロスＣを上に持ち上げて、クロスＣを順次引き出しながら、天井に糊付けした裏面を天井面に合わせながら、仮足場の上を前に進む。
（Ｓ７）ステップ７（クロスＣを天井面に張り付着ける工程）
刷毛部１０の両端を親指と他の指で挟んで、クロスＣをクロス刷毛部Ｂで押さえて、糊に含まれる空気を追い出して、クロスＣを天井面に張り付着ける。
（Ｓ８）ステップ８（ステップ４〜ステップ７まで繰り返す工程）
以下ステップ４〜ステップ７まで繰り返し、クロスＣを天井面に張り付着ける作業が終了したら、次のステップに進む。
（Ｓ９）ステップ９（クロスＣを所定の大きさに裁断する工程）
天井面に張り付着けたクロスＣを所定の大きさに裁断する。
この時、指で刷毛部本体を抑えながら、ジョイント切断定規の端縁にカッターを当てがって上記クロスＣを所定の大きさに裁断する。
裁断する際にジョイント切断定規にカッターを当てがって裁断するのであるが、誤って指を切るという事故も発生していたが、本願発明の構成とすることによって、誤って指を切るという事故が発生するおそれが無くなった。  
ステップ１に戻り、以下繰り返す。
【考案の効果】
【０００７】
本考案に係る、天井クロス張り付け施工工具は、上記のような特徴的構成要件から構成され、特徴的構成要件に応じた、以下のような本願考案特有の効果を奏する。
また、上記の各考案に応じた、上記のような特徴的構成要件から構成された天井クロス張り付け施工工具によれば、本願考案の課題を十分解消することができた。
○第１の考案の効果
第１の考案によれば、作業員の肩に掛けるための２つの肩掛け具Ｓと天井貼り付け用クロスを載置するクロス載置台ＣＤからなるクロス載置具２０において、２つの肩掛け具Ｓとクロス載置台ＣＤは連結してなることを特徴とするクロス載置具２０と天井に当該クロスＣを貼り付けるためのクロス刷毛具１０との組合せからなることという特徴的な構成要件により、本考案が解決しようとする第１課題〜第３課題を達成することができ、当業者予測不可能な顕著な効果を奏することができた。
○第２の考案の効果
第２の考案によれば、クロス載置具２０が、２つの肩掛け具Ｓとクロス載置台ＣＤが組立分解可能であることという特徴的な構成要件により、本考案が解決しようとする第１課題〜第３課題を達成することができ、当業者予測不可能な顕著な効果を奏することができた。
○第３の考案の効果
第３の考案によれば、クロス刷毛具５０が、ジョイント切断定規Ｒと刷毛部Ｂとから構成されてなり、ジョイント切断定規Ｒと刷毛部Ｂの段差Δｈが、下式を満足するようにしてなることという特徴的な構成要件により、本考案が解決しようとする第１課題〜第３課題を達成することができ、当業者予測不可能な顕著な効果を奏することができた。
すなわち、本願考案が、（１）式を満足すれば、ジョイント切断定規に当てがったカッターを誤ってジョイント切断定規まで切り込んだとしても刷毛部でカッターの刃が止まって刷毛部を抑えていた指を切断することがないという当業者が予測できない顕著な効果を奏する。
Δｈ＝ｈＢ−ｈＲ＞０……（１）式
ここに、ジョイント切断定規Ｒの高さをｈＲ（ｍｍ）、刷毛部の高さをｈＢ（ｍｍ）とする。
【考案を実施するための最良の形態】
【０００８】
以下、本考案に係る、天井クロス張り付け施工工具１００に関する最良の実施形態について、図面を参照しながら説明する。
図１は、本願発明に係る、クロス載置具の斜視図である。
図２は、本願発明に係る、別のクロス載置具の斜視図である。
図３は、本願発明に係る、クロス刷毛部の図である。図３（Ａ）は、本願発明に係る、クロス刷毛部の正面図である。図３（Ｂ）は、本願発明に係る、クロス刷毛部の背面図である。図３（Ｃ）は、本願発明に係る、クロス刷毛部の右側面図である。
図４は、本願発明に係る、クロス刷毛部の右側面の拡大図である。
図５は、天井クロス張り付け施工工具を使った天井クロス張り付け作業のステップ図である。
図６は、天井クロス張り付け施工工具を使った天井クロス張り付け作業状態を表した図である。
以下、本考案に係る、天井クロス張り付け施工工具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の天井クロス張り付け施工工具において、作業員の肩に掛けるための２つの肩掛け具Ｓと天井貼り付け用クロスを載置するクロス載置台ＣＤからなるクロス載置具２０において、２つの肩掛け具Ｓとクロス載置台ＣＤは連結してなることを特徴とするクロス載置具２０と天井に当該クロスＣを貼り付けるためのクロス刷毛具１０との組合せからなることを特徴とする天井クロス張り付け施工工具が開示されている。
○第１の考案の効果  第１の考案によれば、作業員の肩に掛けるための２つの肩掛け具Ｓと天井貼り付け用クロスを載置するクロス載置台ＣＤからなるクロス載置具２０において、２つの肩掛け具Ｓとクロス載置台ＣＤは連結してなることを特徴とするクロス載置具２０と天井に当該クロスＣを貼り付けるためのクロス刷毛具１０との組合せからなることという特徴的な構成要件により、本考案が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の天井クロス張り付け施工工具において、クロス載置具２０が、２つの肩掛け具Ｓとクロス載置台ＣＤが組立分解可能であることを特徴とする請求項１に記載された天井クロス張り付け施工工具が開示されている。
○第２の考案の効果  第２の考案によれば、クロス載置具２０が、２つの肩掛け具Ｓとクロス載置台ＣＤが組立分解可能であることという特徴的な構成要件により、本考案が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の天井クロス張り付け施工工具において、クロス刷毛具５０が、ジョイント切断定規Ｒと刷毛部Ｂとから構成されてなり、ジョイント切断定規Ｒと刷毛部Ｂの段差Δｈが、下式を満足するようにしてなることを特徴とする請求項１〜２の何れかに記載された天井クロス張り付け施工工具が開示されている。
Δｈ＝ｈＢ−ｈＲ＞０……（１）式
ここに、ジョイント切断定規Ｒの高さをｈＲ（ｍｍ）、刷毛部の高さをｈＢ（ｍｍ）とする。
○第３の考案の効果  第３の考案によれば、クロス刷毛具５０が、ジョイント切断定規Ｒと刷毛部Ｂとから構成されてなり、ジョイント切断定規Ｒと刷毛部Ｂの段差Δｈが、下式を満足するようにしてなることという特徴的な構成要件により、本考案が解決しようとする第１課題〜第３課題を達成することができ、当業者予測不可能な顕著な効果を奏することができた。
Δｈ＝ｈＢ−ｈＲ＞０……（１）式
ここに、ジョイント切断定規Ｒの高さをｈＲ（ｍｍ）、刷毛部の高さをｈＢ（ｍｍ）とする。
【図面の簡単な説明】
【０００９】
【図１】図１は、本願発明に係る、クロス載置具の斜視図である。
【図２】図２は、本願発明に係る、別のクロス載置具の斜視図である。
【図３】図３は、本願発明に係る、クロス刷毛部の図である。図３（Ａ）は、本願発明に係る、クロス刷毛部の正面図である。図３（Ｂ）は、本願発明に係る、クロス刷毛部の背面図である。図３（Ｃ）は、本願発明に係る、クロス刷毛部の右側面図である。
【図４】図４は、本願発明に係る、クロス刷毛部の右側面の拡大図である。
【図５】図５は、天井クロス張り付け施工工具を使った天井クロス張り付け作業のステップ図である。
【図６】図６は、天井クロス張り付け施工工具を使った天井クロス張り付け作業状態を表した図である。
【符号の説明】
【００１０】
Ｓ……肩掛け具
Ｃ……天井貼り付け用クロス
ＣＤ……クロス載置台
２０……クロス載置具
１０……クロス刷毛具
１００……天井クロス張り付け施工工具
Ｒ……ジョイント切断定規
Ｂ……刷毛部
ＢＨ……刷毛本体
ＢＫ……毛
ＳＰ…直管
ＢＰ…曲管
Ｂ１…第一の分岐管
Ｂ２…第二の分岐管
ＡＢ…仮足場
ＣＬ…天井
ＡＢ…壁
【図１】
0003198264.tif 000003
【図２】
0003198264.tif 000004
【図３】
0003198264.tif 000005
【図４】
0003198264.tif 000006
【図５】
0003198264.tif 000007
【図６】
0003198264.tif 000008